(57)【要約】      （修正有）【課題】高機能・高付加価値化を有するテレビ受像機は、リモコンでの操作内容が多く、ユーザがその機能を上手く使いこなせなくなってきた。本発明は、広範囲に渡るユーザに対し、各ユーザのレベルに応じてメニューの機能を簡単化したメニュー操作方法を提供する。【解決手段】簡易リモコン２の少ないキーで多くのメニュー操作に対応するために、簡易リモコン２のキーに対応して、テレビ画面１３のリモコンＯＳＤ画像３にも簡易リモコン２と同一配列のキー４’〜１２’が表示され、キー４’〜１２’のキートップにはメニューの内容により異なる文字が表示される。予め簡易メニューが複数記憶されており、任意の簡易メニューを選んで優先順序で登録しておき、簡易リモコンの簡単な操作でメニューを選択して実行する。詳細メニューキー１２’は常時表示されており、いつでも詳細メニュー操作に移行できる。【選択図】図１
2006203391.tif 000002
【特許請求の範囲】
【請求項１】
映像信号を入力し映像出力装置に映像を表示し、リモコンからの制御信号を入力して前記映像出力装置にメニューを表示する制御部とを備えた映像装置において、
前記制御部は、
簡易メニュー操作プログラムを複数記憶する簡易メニュー記憶手段と、
前記簡易メニュー記憶手段に記憶された複数の前記簡易メニュー操作プログラムが優先順序を付けて登録され、前記リモコンのキー操作に応じて登録された前記簡易メニュー操作プログラムを前記優先順序に従って選択するメニュー優先順位記録／選択手段と、
前記メニュー優先順位記録／選択手段で選択された簡易メニュー操作プログラムに応じて前記映像出力装置に前記リモコンのＯＳＤ画像を表示してメニュー操作を実行する手段を備えた
ことを特徴とする映像装置。
【請求項２】
前記映像出力装置に表示された前記リモコンのＯＳＤ画像は、前記リモコンのキー配置と同一に配置されたことを特徴とする請求項１に記載の映像装置。
【請求項３】
前記リモコンには詳細メニューに切り替える詳細メニューキーが備わり、前記映像出力装置に表示された前記リモコンのＯＳＤ画像には、対応する位置に詳細メニュー切り替えキーが常時表示されて、前記詳細メニューキーを操作することにより詳細メニュー操作モードに移行できることを特徴とする請求項１又は２に記載の映像装置。
【請求項４】
前記リモコンのＯＳＤ画像の前記リモコンに対応するキーのキートップには数字、文字、記号が、前記簡易メニューの内容に応じて表示されることを特徴とする請求項１乃至３のいずれか一項に記載の映像装置。
【請求項５】
前記リモコンのＯＳＤ画像には前記簡易メニューの内容に応じて操作内容説明文が表示されることを特徴とする請求項１乃至４のいずれか一項に記載の映像装置。
【請求項６】
前記リモコンには簡易メニューを選択する複数の簡易メニュー選択キーを備えたことを特徴とする請求項１乃至５のいずれか一項に記載の映像装置。
【請求項７】
リモコンの簡易メニュー選択キーからキーデータを受信し映像装置の映像出力装置に前記リモコンのＯＳＤ画像を表示する工程と、
前記簡易メニュー選択キーからの前記キーデータに応じて前記簡易メニューの優先順位を判断する工程と、
前記判断された優先順位に従って簡易メニューを表示する工程とを備えたことを特徴とするメニュー操作方法。
【請求項８】
同一の前記簡易メニュー選択キーが続けて押下されたときは優先順位に従って次の優先順位の簡易メニューを表示することを特徴とする請求項７に記載のメニュー操作方法。
【請求項９】
映像信号を入力し映像出力装置に映像を表示し、リモコンからの制御信号を入力して前記映像出力装置にメニューを表示する制御部とを備えた映像装置のメニュー操作方法において、
簡易メニュー操作プログラムを複数記憶する工程と、
前記記憶された複数の前記簡易メニュー操作プログラムを優先順序を付けて登録する工程と、
登録された前記簡易メニュー操作プログラムを前記優先順序に従って選択する工程と、
前記選択された簡易メニュー操作プログラムに応じて前記映像出力装置に前記リモコンのＯＳＤ画像を表示してメニュー操作を実行する工程を備えたことを特徴とするメニュー操作方法。
【発明の詳細な説明】
【技術分野】
【０００１】
本発明は、テレビジョン受像機などの映像装置、及びこれを操作するリモートコントローラ（リモコン）のメニュー操作方法に係り、特に簡易リモコンを使用してキー操作を容易にしたメニュー操作方法に関する。
【背景技術】
【０００２】
従来、テレビジョン受像機に接続される機器が増加し、各機器に対応したリモコンが用意され、それぞれ異なる操作をするため、操作の種類がかなりの数となり、操作するに際して操作の内容が煩雑になってしまう問題があった。
【０００３】
このような問題に対し、特開平４−３６６５号公報（特許文献１）に提案されているように、テレビジョン受像機のＣＲＴ上に、各機器の操作メニューを階層的に画面表示し、またリモコンのキーをカーソル移動キーと電源ＯＮ／ＯＦＦキーで構成するよう簡易化したものがある。この従来技術は、カーソル制御部を操作して、カーソル移動キーによる操作メニュー画面上での各種操作を可能にすることにより、リモコンキー数を減らして制御により多機能化を図り、操作を簡単にしたものである。この場合、実行指示はカーソル移動キーのダブルクリックで行われる。
【０００４】
あるいは、特開５−２４４５２７号公報（特許文献２）で提案されているように、操作のための子画面とカーソルを親画面内に表示させ、リモコンにより対話形式で操作を行い、操作を簡単かつ容易にし、リモコンの操作ボタン数を削減するといった方法もとられてきた。
【特許文献１】特開平４−３６６５号公報
【特許文献２】特開５−２４４５２７号公報
【発明の開示】
【発明が解決しようとする課題】
【０００５】
しかし、従来のテレビ技術が進歩し続けている中、高機能・高付加価値化によって、上記従来技術の手法では、全ての操作を覚えきれず誤って操作してしまうなど、ユーザがその機能を上手く使いこなせなくなってきた。
【０００６】
従来技術でも各シーンに応えたテレビのモードなど、分かりやすいとされる様々な使い方があるが、各機能を使う為にはメニュー設定の変更など細かな作業が必要であり、それだけでは広範囲に渡るユーザ全てに理解されるには難しくなってきた。
【０００７】
しかし、リモコンの使用状態を考えると、必ずしもメニューの全機能を使っているわけではなく、各ユーザによりその使用範囲は限られていると考えられる。例えば初心者や高齢者は複雑な操作が覚えられず簡単な操作のみ行っている場合も多い。
【０００８】
本発明は、このような問題に鑑み、広範囲に渡るユーザに対し、各ユーザのレベルに応じてメニューの機能を簡単化して表示する映像装置、及びそのメニュー操作方法を提供することを目的とする。特に本発明は、モニタに表示されたリモコンのキー配列を実際のリモコンのキー配列に合わせ、しかもメニュー項目の操作内容説明がモニタにより表示されるようにして、操作を容易にしたメニュー操作方法を提供することを目的とする。
【課題を解決するための手段】
【０００９】
本発明の請求項１に係る発明の要旨は、映像信号を入力し映像出力装置に映像を表示し、リモコンからの制御信号を入力して前記映像出力装置にメニューを表示する制御部とを備えた映像装置において、前記制御部は、簡易メニュー操作プログラムを複数記憶する簡易メニュー記憶手段と、前記簡易メニュー記憶手段に記憶された複数の前記簡易メニュー操作プログラムが優先順序を付けて登録され、前記リモコンのキー操作に応じて登録された前記簡易メニュー操作プログラムを前記優先順序に従って選択するメニュー優先順位記録／選択手段と、前記メニュー優先順位記録／選択手段で選択された簡易メニュー操作プログラムに応じて前記映像出力装置に前記リモコンのＯＳＤ画像を表示してメニュー操作を実行する手段を備えたことを特徴とする映像装置に存する。
また、本発明の請求項２に係る発明の要旨は、前記映像出力装置に表示された前記リモコンのＯＳＤ画像は、前記リモコンのキー配置と同一に配置されたことを特徴とする請求項１に記載の映像装置に存する。
また、本発明の請求項３に係る発明の要旨は、前記リモコンには詳細メニューに切り替える詳細メニューキーが備わり、前記映像出力装置に表示された前記リモコンのＯＳＤ画像には、対応する位置に詳細メニュー切り替えキーが常時表示されて、前記詳細メニューキーを操作することにより詳細メニュー操作モードに移行できることを特徴とする請求項１又は２に記載の映像装置に存する。
また、本発明の請求項４に係る発明の要旨は、前記リモコンのＯＳＤ画像の前記リモコンに対応するキーのキートップには数字、文字、記号が、前記簡易メニューの内容に応じて表示されることを特徴とする請求項１乃至３のいずれか一項に記載の映像装置に存する。
また、本発明の請求項５に係る発明の要旨は、前記リモコンのＯＳＤ画像には前記簡易メニューの内容に応じて操作内容説明文が表示されることを特徴とする請求項１乃至４のいずれか一項に記載の映像装置に存する。
また、本発明の請求項６に係る発明の要旨は、前記リモコンには簡易メニューを選択する複数の簡易メニュー選択キーを備えたことを特徴とする請求項１乃至５のいずれか一項に記載の映像装置に存する。
また、本発明の請求項７に係る発明の要旨は、リモコンの簡易メニュー選択キーからキーデータを受信し映像装置の映像出力装置に前記リモコンのＯＳＤ画像を表示する工程と、前記簡易メニュー選択キーからの前記キーデータに応じて前記簡易メニューの優先順位を判断する工程と、前記判断された優先順位に従って簡易メニューを表示する工程とを備えたことを特徴とするメニュー操作方法に存する。
また、本発明の請求項８に係る発明の要旨は、同一の前記簡易メニュー選択キーが続けて押下されたときは優先順位に従って次の優先順位の簡易メニューを表示することを特徴とする請求項７に記載のメニュー操作方法に存する。
また、本発明の請求項９に係る発明の要旨は、映像信号を入力し映像出力装置に映像を表示し、リモコンからの制御信号を入力して前記映像出力装置にメニューを表示する制御部とを備えた映像装置のメニュー操作方法において、簡易メニュー操作プログラムを複数記憶する工程と、前記記憶された複数の前記簡易メニュー操作プログラムを優先順序を付けて登録する工程と、登録された前記簡易メニュー操作プログラムを前記優先順序に従って選択する工程と、前記選択された簡易メニュー操作プログラムに応じて前記映像出力装置に前記リモコンのＯＳＤ画像を表示してメニュー操作を実行する工程を備えたことを特徴とするメニュー操作方法に存する。
【発明の効果】
【００１０】
本発明によれば、広範囲に渡るユーザに対し、各ユーザのレベルに応じて、あるいはユーザの好みに応じて操作メニューを変えられるので、広範囲のユーザのレベルにあったメニュー表示が行える映像装置、及びそのメニュー操作方法を提供することができる。
また、モニタに表示されたリモコンのキー配列を実際のリモコンのキー配列に合わせ、しかも操作内容説明をモニタに表示するようにしたので、モニタ画面を見ながらブラインドタッチで操作することも容易になり、操作が簡単で迅速に行える。
【発明を実施するための最良の形態】
【００１１】
次に、本発明を実施するための最良の形態を、図面を参照して具体的に説明する。
【００１２】
図１は、本実施の形態に使用される映像装置としてのテレビジョン受像機１を示したもので、１３はそのテレビジョン受像機のテレビ画面、２は簡易リモコンを示している。また、簡易リモコン２の操作時には、テレビ画面１３に実際の簡易リモコン２とキー配列が同じリモコンのＯＳＤ（オン・スクリーン・ディスプレイ）画像３が表示される。テレビ画面１３における簡易リモコンのＯＳＤ画像３の背景には、放送画面などの映像が表示されているが、図１では省略して図示している。
【００１３】
簡易リモコン２はキーの数を極力少なくした簡易型のリモートコントローラ（リモコン）である。簡易リモコン２をテレビジョン受像機１に向けてキー操作すると、赤外線による信号がテレビジョン受像機１の（図２に示される）リモコン受信部２４に送信され、テレビジョン受像機１を遠隔操作できる。
【００１４】
簡易リモコン２には、テレビジョン受像機１の電源を入り切りするパワー（POWER）キー４、＋字に配列された５〜９のキー（以下＋字キーという）、簡易メニュー選択キー〔Ａ〕１０、簡易メニュー選択キー〔Ｂ〕１１、詳細メニュー表示キー１２が備わっている。これに対応して、テレビ画面１３のリモコンＯＳＤ画像３にも簡易リモコン２と同一配列のキー４’〜１２’が表示される。但し、キー４’〜１２’のキートップにはメニューの内容により異なる文字が表示される。また、簡易リモコン２の少ないキーで多くのメニュー操作に対応するために、テレビ画面１３に映し出された簡易リモコンのＯＳＤ画像３に操作内容を説明する文字などが重畳して表示される。
【００１５】
図２は本実施の形態に使用されるテレビジョン受像機１と簡易リモコン２の構成を示したものである。図２において、簡易リモコン２はキースキャン部２１、データ発生部２２、送信部２３を備えている。簡易リモコン２のいずれかのキーが押されると、キースキャン部２１のスキャン信号により走査されて、押下されたキーに対応するキーデータがデータ発生部２２から出力される。送信部２３はデータ発生部２２の信号を赤外線信号に変換して出力する。
【００１６】
また、テレビジョン受像機１は、リモコン受信部２４、キーデータ判断部２５、メニュー優先順位記録／選択部２６、簡易メニュー記憶部２７、メニュー処理部２８、チューナ部２９、音声系処理部３０、音声出力装置３１、映像系処理部３２、映像出力装置３３、ＯＳＤ表示制御部３４などを備えている。なお、テレビジョン受像機１のこれら制御各部は図示しないマイクロコンピュータにより制御されているものである。
【００１７】
簡易リモコン２から送信された赤外線によるキーデータはテレビジョン受像機１のリモコン受信部２４で受信され、電圧に変換される。リモコン受信部２４で電圧信号に変換されたキーデータはキーデータ判断部２５に入力され、どのキーが押下されたかが判断される。
【００１８】
メニュー優先順位記録／選択部２６には、簡易リモコン２の簡易メニュー選択キー〔Ａ〕１０、簡易メニュー選択キー〔Ｂ〕１１に対応した簡易メニューの優先順序が登録されている。また、簡易メニュー記憶部２７には複数の簡易メニューが予め記憶されている。ユーザは、簡易メニュー記憶部２７に記憶された簡易メニューの中から好み等によって簡易メニューを選択し、その簡易メニューに対応するコードを優先順序を付けてメニュー優先順位記録／選択部２６に登録しておくことができる。
【００１９】
例えば、簡易メニューとして
（１）チャンネル切り替え、
（２）画質調整、音量調節、音質調節、ミュート（消音）などの機能調整、
（３）地上アナログ放送、地上デジタル放送、ＢＳデジタル放送、ＣＳデジタル放送、ＤＶＤ、ビデオなどの入力メディア切り替え、
（４）ノーマルモード、ワイドモード、シネマモードなどの画面サイズ切り替え、
が予め記憶されており、簡易メニュー（１）（２）（３）（４）のそれぞれに０１、０２、０３、０４のコードが付されているとする。
【００２０】
そして、あるユーザａが簡易メニュー選択キー〔Ａ〕１０に（１）（３）（２）の順序で簡易メニューを登録し、他のユーザｂが簡易メニュー選択キー〔Ｂ〕１１に（２）（１）（４）の順序で簡易メニューを登録するなどとすることができる。
【００２１】
このように簡易メニューが簡易メニュー選択キー〔Ａ〕１０、簡易メニュー選択キー〔Ｂ〕１１に登録されていると、例えば簡易メニュー選択キー〔Ａ〕１０を押下する毎に、メニュー優先順位記録／選択部２６は簡易メニュー（１）（３）（２）のコード０１、０３、０２を順次選択し、この選択したコードを簡易メニュー記憶部２７に出力する。また、簡易メニュー選択キー〔Ｂ〕１１を押下する毎に簡易メニュー（２）（１）（４）のコード０２、０１、０４を順次選択し、この選択したコードを簡易メニュー記憶部に出力する。
【００２２】
メニュー優先順位記録／選択部２６から出力された簡易メニューの選択コードが簡易メニュー記憶部２７に入力されると、簡易メニュー記憶部２７は選択コードに対応する簡易メニューの内容をメニュー処理部２８に出力する。メニュー処理部２８はキーデータ判断部２５からのキーデータと簡易メニュー記憶部２７からの情報を入力し、メニュー処理を実行する。
メニュー処理部２８は、チューナ部２９にチャンネル選択指令を出力し、映像系処理部３２に映像処理信号を出力し、ＯＳＤ表示制御部３４にＯＳＤ表示情報を出力し、音声系処理部３０に音量、音質、ミュート（消音）などの調節信号を出力する。
【００２３】
チューナ部２９はメニュー処理部２８からの選局情報を入力し、各種メディアの切り替えやチャンネルの選択を実行する。チューナ部２９は、アンテナ３５やＤＶＤ、ビデオなどの各種機器３６が接続可能に構成されており、地上アナログ放送、地上デジタル放送、ＢＳデジタル放送、ＣＳデジタル放送、ＤＶＤ、ビデオなどの各種メディアからの信号が入力可能になっている。
【００２４】
チューナ部２９は各種メディアからの信号を選局して映像系処理部３２に映像信号を出力し、音声系処理部３０に音声信号を出力する。音声系処理部３０は、チューナ部２９から入力されたデジタル音声信号と、メニュー処理部２８からの音量調節、音質調節、ミュート（消音）などの信号を処理して音声出力装置３１にアナログ音声信号として出力する。音声出力装置３１はスピーカなどであり、音声、音響などとして出力する。
【００２５】
ＯＳＤ表示制御部３４は簡易リモコンのＯＳＤ画像３やメニューの文字をＯＳＤ表示するための制御部である。
映像系処理部３２は、チューナ部２９から入力された映像信号と、メニュー処理部２８からの画質調整信号や画面サイズ切り替え信号、ＯＳＤ表示制御部３４からのＯＳＤ表示情報を入力して映像処理を実行する。
映像出力装置３３は液晶表示装置などであり、映像系処理部３２からの映像信号により映像を表示する。
【００２６】
次に、図３を参照して本実施の形態の制御フローを説明する。
ステップＳ１において、簡易リモコン２の簡易メニュー選択キー〔Ａ〕１０、簡易メニュー選択キー〔Ｂ〕１１のいずれかが押されると、簡易メニュー表示命令がテレビジョン受像機１のリモコン受信部２４に送信される。これを受けたリモコン受信部２４は、この信号を電圧信号に変換しキーデータ判断部２５に出力する。この信号に基づきキーデータ判断部２５は、押下されたキーの内容を判断する。この場合、簡易メニュー選択キー〔Ａ〕１０又は簡易メニュー選択キー〔Ｂ〕１１が押下されたと判断される。キーデータ判断部２５からの信号を受けたメニュー処理部２８は簡易リモコンのＯＳＤ画像３を表示するようにＯＳＤ表示制御部３４に指令する。これを受けたＯＳＤ表示制御部３４は簡易リモコンのＯＳＤ画像３を表示するよう映像系処理部３２に信号を送り映像出力装置３３は、現在放送されている映像の一部に重畳して簡易リモコンのＯＳＤ画像３を表示する。
【００２７】
ステップＳ２において、キーデータ判断部２５からの簡易メニュー選択キー〔Ａ〕１０又は簡易メニュー選択〔Ｂ〕キー１１が押下された情報はメニュー優先順位記録／選択部２６にも入力され、簡易メニュー登録順位が判断される。例えば、簡易メニュー選択キー〔Ａ〕１０が押下されたときは、簡易メニュー選択キー〔Ａ〕１０には簡易メニュー（１）（３）（２）のコード０１、０３、０２が順に登録されていることが判断される。また、簡易メニュー選択キー〔Ｂ〕１１が押下されたときは、簡易メニュー選択〔Ｂ〕キー１１には簡易メニュー（２）（１）（４）のコード０２、０１、０４が順に登録されていることが判断される。
【００２８】
最初に簡易メニュー選択キー〔Ａ〕１０が最初に押下されたときは、ステップＳ３において、第１の優先順位の簡易メニュー（１）であるチャンネル切り替えメニューであることが、例えば図４に符号１４で示すように、簡易リモコンのＯＳＤ画像３の上部に「チャンネル切替メニュー」とＯＳＤ表示される。また、簡易リモコンのＯＳＤ画像３のキー９’のキートップには「実行」の文字がＯＳＤ表示される。また、簡易リモコンのＯＳＤ画像３のキー１０’のキートップには「次へ」の文字がＯＳＤ表示される。これらの文字は操作を促すために点滅表示、あるいは色つきの強調文字などで表示すると分かりやすい。
【００２９】
ステップＳ４において、第１の優先順位の簡易メニュー（１）を実行するかどうかが判断される。第１の優先順位の簡易メニュー（１）を実行する場合には簡易リモコンのＯＳＤ画像３のキー９’を押下するように、実際の簡易リモコン２のキー９を押下する。第１の優先順位の簡易メニュー（１）を実行しない場合には再度簡易メニュー選択キー〔Ａ〕１０を押下する。
ステップＳ４において、実際の簡易リモコン２のキー９が押下されたときは、ステップＳ９に進み、簡易メニュー（１）が実行される。
【００３０】
ステップＳ４において、実際の簡易リモコン２のキー１０が押下されたときは、ステップＳ５に進み、次の第２の優先順位の簡易メニュー（３）である入力メディア切り替えメニューであることが、例えば図４の簡易リモコンのＯＳＤ画像３の上部に符号１４で示した「チャンネル切替メニュー」のＯＳＤ表示に代えて「入力メディア切替メニュー」という文字がＯＳＤ表示される。また、上記と同様、簡易リモコンのＯＳＤ画像３のキー９’のキートップには「実行」の文字がＯＳＤ表示される。また、簡易リモコンのＯＳＤ画像３のキー１０’のキートップには「次へ」の文字がＯＳＤ表示される。
【００３１】
ステップＳ６において、第２の優先順位の簡易メニュー（３）を実行するかどうかが判断される。第２の優先順位の簡易メニュー（３）を実行する場合には簡易リモコンのＯＳＤ画像３のキー９’を押下するように、実際の簡易リモコン２のキー９を押下する。第２の優先順位の簡易メニュー（３）を実行しない場合には再度簡易メニュー選択キー〔Ａ〕１０を押下する。
ステップＳ６において、実際の簡易リモコン２のキー９が押下されたときは、ステップＳ１０に進み、簡易メニュー（３）が実行される。
【００３２】
ステップＳ６において、実際の簡易リモコン２のキー１０が押下されたときは、ステップＳ７に進み、次の第３の優先順位の簡易メニュー（２）である機能調整メニューであることが、例えば図４の簡易リモコンのＯＳＤ画像３の上部に符号１４で示した「チャンネル切替メニュー」のＯＳＤ表示に代えて「機能調整メニュー」という文字がＯＳＤ表示される。また、上記と同様、簡易リモコンのＯＳＤ画像３のキー９’のキートップには「実行」の文字がＯＳＤ表示される。また、簡易リモコンのＯＳＤ画像３のキー１０’のキートップには「次へ」の文字がＯＳＤ表示される。
【００３３】
ステップＳ８において、第３の優先順位の簡易メニュー（２）を実行するかどうかが判断される。第３の優先順位の簡易メニュー（２）を実行する場合には簡易リモコンのＯＳＤ画像３のキー９’を押下するように、実際の簡易リモコン２のキー９を押下する。第３の優先順位の簡易メニュー（２）を実行しない場合には再度簡易メニュー選択キー〔Ａ〕１０を押下する。
【００３４】
ステップＳ８において、実際の簡易リモコン２のキー９が押下されたときは、ステップＳ１１に進み、簡易メニュー（２）が実行される。
ステップＳ８において、実際の簡易リモコン２のキー１０が押下されたときは、ステップＳ３に進み、第１の優先順位の簡易メニュー（１）のＯＳＤ表示からステップＳ３以下を繰り返す。
【００３５】
簡易メニュー選択キー〔Ｂ〕１１が押下されたときも、簡易メニュー選択キー〔Ａ〕１０が押下されたときと同様なので、説明は省略する。
【００３６】
次にステップＳ９の操作内容を説明する。
ステップＳ４からステップＳ９に進んで、チャンネル切り替え操作を実行する際、まず簡易リモコンのＯＳＤ画像３のキー５’〜９’のキートップには図５に示すようにチャンネル数字と次のチャンネル選択画面に移行するための文字などが表示される。例えばキー５’のキートップには「１」の数字、キー６’のキートップには「２」の数字、キー７’のキートップには「３」の数字、キー８’のキートップには「４」の数字、キー９’のキートップには「次へ」の文字が表示される。
【００３７】
ここでチャンネル３を選択する場合には、キー７’のキートップ「３」の数字を手がかりに、実際の簡易リモコン２のキー７を押下すると３チャンネルが選局される。この画面に所望のチャンネル数字が表示されていないときはキー９’のキートップ「次へ」の文字を手がかりに、実際の簡易リモコン２のキー９を押下すると次のチャンネル数字が図６に示したように表示される。すなわち、キー５’のキートップには「５」の数字、キー６’のキートップには「６」の数字、キー７’のキートップには「７」の数字、キー８’のキートップには「８」の数字、キー９’のキートップには「次へ」の文字が表示される。
【００３８】
なお、図６から図５の状態に途中で戻るような必要が生じることがあるので、このときには、キー９を所定時間以上押下する長押しやダブルクリックすることによりキー９’のキートップ「次へ」の文字を「戻り」に変更し、順次前の画面に戻っていけるようにしておけばよい。また再度「戻り」から「次へ」に変更する場合も同様に長押しやダブルクリックすることにより行えるようにしておけばよい。このようにしておけば、キー９’のキートップに最終の「戻り」が表示されるまでに画面数が多数ある場合、画面間での往復が自由に行えて便利である。
【００３９】
更に、この画面に所望のチャンネル数字が表示されていないときはキー９’のキートップ「次へ」の文字を手がかりに、実際の簡易リモコン２のキー９を押下すると次のチャンネル数字が図７に示したように表示される。すなわち、キー５’のキートップには「９」の数字、キー６’のキートップには「１０」の数字、キー７’のキートップには「１１」の数字、キー８’のキートップには「１２」の数字、キー９’のキートップには「戻り」の文字が表示される。ユーザは所望のチャンネル数字が表示された画面でチャンネル数字を選択するように実際の簡易リモコンの対応するキーを押下すればチャンネルを選局することができる。
この場合、チャンネルは１〜１２を想定しているが、これ以上のチャンネルがあるときにも同様にして対応できることは明らかである。
【００４０】
ステップＳ９で簡易メニュー選択キー〔Ａ〕１０、簡易メニュー選択キー〔Ｂ〕１１が押下されるとステップＳ１からの処理を最初から実行するので、チャンネル切替操作を中断して別の操作を選択することができる。
【００４１】
次にステップＳ１０の操作内容を説明する。
ステップＳ６からステップＳ１０に進んで、メディア切替操作を実行する際、まず簡易リモコンのＯＳＤ画像３のキー５’〜９’のキートップにはメディアを選択するための文字などが表示される。例えばキー５’のキートップには地上アナログ放送である「地上Ａ」の文字、キー６’のキートップには地上デジタル放送である「地上Ｄ」の文字、キー７’のキートップにはＢＳデジタル放送である「ＢＳ」の文字、キー８’のキートップにはＣＳデジタル放送である「ＣＳ」の文字、キー９’のキートップには「次へ」の文字が図８に示すように表示される。
【００４２】
ここでメディアの種別をＢＳデジタル放送に選択する場合には、キー７’のキートップ「ＢＳ」の数字を手がかりに、実際の簡易リモコン２のキー７を押下するとＢＳデジタル放送が選択される。この画面に所望のメディアが表示されていないときはキー９’のキートップ「次へ」の文字を手がかりに、実際の簡易リモコン２のキー９を押下すると次のメディア種別が表示された画面になる。このように所望のメディアが表示された画面によりメディアの種別を選択して実行することができる。キー９’を次々と押下し、登録された最終のメディア種別が表示されたときはキー９’のキートップには「戻り」の文字が表示される。
この場合もステップＳ１０で簡易メニュー選択キー〔Ａ〕１０、簡易メニュー選択キー〔Ｂ〕１１が押下されるとステップＳ１からの処理を最初から実行するので、チャンネル切替操作を中断して別の操作を選択することができる。
【００４３】
次にステップＳ１１の操作内容を説明する。
ステップＳ８からステップＳ１１に進んで、機能調節操作を実行する際、まず簡易リモコンのＯＳＤ画像３のキー５’〜９’のキートップには機能調節を選択するための文字などが表示される。例えばキー５’のキートップには「画質」の文字、キー６’のキートップには「音量」の文字、キー７’のキートップには「音質」の文字、キー８’のキートップには「消音」の文字、キー９’のキートップには「次へ」の文字が図９に示したように表示される。
ここで音量調節を選択する場合には、キー６’のキートップ「音量」の数字を手がかりに、実際の簡易リモコン２のキー６を押下すると音量調節が選択される。
【００４４】
簡易リモコン２のキー６が押下され音量調節が選択されると図１０に示した音量調節用画面が表示される。符号１４で示したＯＳＤ表示は「音量調節」と表示される。また、キー５’のキートップには「大」の文字、キー７’のキートップには「小」の文字が表示される。また、調節された音量の程度を符号１５で示したようにＯＳＤ表示する。この画面にしたがって簡易リモコン２のキー５、キー７を操作すれば音量調節を行うことができる。音量調節を終了したときはキー９を操作すれば図９に示した機能調節メニュー画面に戻ることができる。
【００４５】
図９の画面に所望の調節機能が表示されていないときはキー９’のキートップ「次へ」の文字を手がかりに、実際の簡易リモコン２のキー９を押下すると次の機能調節が表示された画面になる。このように所望の機能調節が表示された画面により機能調節の種別を選択して実行することができる。キー９’を次々と押下し、登録された最終の機能調節項目が表示されたときはキー９’のキートップには「戻り」の文字が表示される。
この場合もステップＳ１０で簡易メニュー選択キー〔Ａ〕１０、簡易メニュー選択キー〔Ｂ〕１１が押下されるとステップＳ１からの処理を最初から実行するので、チャンネル切替操作を中断して別の操作を選択することができる。
【００４６】
簡易メニュー選択キー〔Ｂ〕１１が押下された場合で、第３の優先順位の簡易メニューにコード０４で登録された簡易メニュー（４）の、画面サイズ切り替えメニューの操作内容を説明する。
簡易メニュー選択キー〔Ｂ〕１１が押下された場合でステップＳ８からステップＳ１１に進んで、画面サイズ切り替えメニューの操作を実行する際、まず簡易リモコンのＯＳＤ画像３のキー５’〜９’のキートップには画面サイズを選択するための文字などが表示される。例えばキー５’のキートップには「ノーマル」の文字、キー６’のキートップには「ワイド」の文字、キー７’のキートップには「シネマ」の文字が図１１に示したように表示される。また符号１４の部分には「画面サイズ切替メニュー」の文字がＯＳＤ表示される。
【００４７】
ここでシネマ映画を鑑賞するため、シネマモードを選択する場合には、キー７’のキートップ「シネマ」の文字を手がかりに、実際の簡易リモコン２のキー７を押下するとシネマモードが選択される。このように所望の画面サイズのモードを選択して実行することができる。
この場合もステップＳ１０で簡易メニュー選択キー〔Ａ〕１０、簡易メニュー選択キー〔Ｂ〕１１が押下されるとステップＳ１からの処理を最初から実行するので、チャンネル切替操作を中断して別の操作を選択することができる。
【００４８】
上記実施の形態において、簡易リモコン２のキー１２は詳細なメニューを実行するための詳細メニュー表示キーであり、このキー１２を押下することにより、図３で示したどの処理の途中であっても詳細なメニュー操作に移行することができる。この詳細なメニューへ切り替えるボタンは簡易リモコンのＯＳＤ画像３にキー１２’として常に表示してあるので、いつでも詳細メニューに切り替えられる。キー１２’のキートップには「詳細」の文字がＯＳＤ表示されている。この詳細メニューは、詳細な設定や調整ができるよう、簡易メニューの他に用意されたメニューである。この場合の簡易リモコン２におけるキー５〜８（及び簡易リモコンのＯＳＤ画像３におけるキー５’〜８’）はカーソル移動キー、キー９（及びキー９’）は実行キーとし、テレビ画面１３には簡易リモコンのＯＳＤ画像３の左側に詳細メニューの内容を表示して、特許文献１や２に開示された発明と同様な方法により詳細ニューを操作することができる。詳細ニューは階層的な表示すれば簡易リモコン２で操作することが可能である。
【００４９】
詳細メニューの一例として、チャンネル切り替えの例を挙げれば、簡易メニューでは簡易リモコン２におけるキー５〜８（及び簡易リモコンのＯＳＤ画像３におけるキー５’〜８’）に対応して登録されたチャンネルを選択していくようにしたが、詳細メニューのチャンネル切り替えでは簡易リモコンのＯＳＤ画像３の左側にＥＰＧ（電子番組ガイド）を表示し、ＥＰＧ（電子番組ガイド）の番組からキー５〜８のカーソル移動機能、キー９（及びキー９’）の実行機能を使って詳細に番組を選択することができる。この場合、簡易リモコンのＯＳＤ画像３のキー５’〜８’キートップにはカーソル移動機能を示す矢印（↑→↓←）、キー９’のキートップには「実行」などの記号、文字が表示される。
【００５０】
以上の説明では、簡易リモコンのＯＳＤ画像３に表示されたキーのキートップに文字などをＯＳＤ表示するようにしたが、更に詳細にキーの機能を補足する説明文をキー以外の部分に表示しても良いし、この説明文を矢印あるいは吹き出しなどでどのキーの説明文であるかを明示するようにしても良い。この場合、説明文が多くて煩雑な場合にはキーの１度押しで該当のキー機能の説明文をポップアップ表示し、２度押し（又はダブルクリック）で実行するように実施の形態を変形して採用することができる。
また、簡易メニューは上記したメニュー（１）（２）（３）（４）に限らず、任意の簡易メニューが登録できる。
上記実施の形態に示したように、リモコンのＯＳＤ画像３のリモコンに対応するキーのキートップには任意の数字、文字、記号をメニューに応じて変えて表示することができるので、少ないキーで多くの機能を実行することができる。
【００５１】
以上、具体的な実施の形態について説明したが、本発明は上記実施の形態に限定されず、発明の要旨を変更しない範囲で適宜変更して実施できることは言うまでもない。
【産業上の利用可能性】
【００５２】
本発明は、リモコンで操作される多機能な映像装置に広く利用できる。
【図面の簡単な説明】
【００５３】
【図１】本発明による映像装置の実施の形態を示す図である。
【図２】本発明の実施の形態による映像装置の制御ブロックを示す図である。
【図３】本発明の実施の形態による映像装置の制御フローを示す図である。
【図４】本発明の実施の形態によるメニュー選択画面を示す図である。
【図５】本発明の実施の形態によるチャンネル切替メニュー画面を示す図である。
【図６】本発明の実施の形態によるチャンネル切替メニューの第２の画面を示す図である。
【図７】本発明の実施の形態によるチャンネル切替メニューの第３の画面を示す図である。
【図８】本発明の実施の形態によるメディア切替メニュー画面を示す図である。
【図９】本発明の実施の形態による機能調節メニュー画面を示す図である。
【図１０】本発明の実施の形態による音量調節画面を示す図である。
【図１１】本発明の実施の形態による画面サイズ切替画面を示す図である。
【符号の説明】
【００５４】
１・・・テレビジョン受像機（映像装置）
２・・・簡易リモコン
３・・・簡易リモコンのＯＳＤ画像
４・・・パワー（POWER）キー
５〜９・・・＋字キー
１０・・・簡易メニュー選択キー〔Ａ〕
１１・・・簡易メニュー選択キー〔Ｂ〕
１２・・・詳細メニュー表示キー
１３・・・テレビ画面
１４・・・メニューＯＳＤ表示
１５・・・調節音量表示
２１・・・キースキャン部
２２・・・データ発生部
２３・・・送信部
２４・・・リモコン受信部
２５・・・キーデータ判断部
２６・・・メニュー優先順位記録／選択部
２７・・・簡易メニュー記憶部
２８・・・メニュー処理部
２９・・・チューナ部
３０・・・音声系処理部
３１・・・音声出力装置
３２・・・映像系処理部
３３・・・映像出力装置
３４・・・ＯＳＤ表示制御部
３５・・・アンテナ
３６・・・各種機器
【図１】
2006203391.tif 000003
【図２】
2006203391.tif 000004
【図３】
2006203391.tif 000005
【図４】
2006203391.tif 000006
【図５】
2006203391.tif 000007
【図６】
2006203391.tif 000008
【図７】
2006203391.tif 000009
【図８】
2006203391.tif 000010
【図９】
2006203391.tif 000011
【図１０】
2006203391.tif 000012
【図１１】
2006203391.tif 000013